(57)【特許請求の範囲】
【請求項１】
第一の壁部と、前記第一の壁部から当該第一の壁部と交差する第一の方向に沿って延びた第二の壁部と、を有したケースと、
前記ケースに収容され、筐体と、前記筐体の内部に設けられた電極体と、前記電極体と接続され前記筐体の外面に露出した電極部と、を有した電池セルと、
外部導体と接続可能な第一の接続部と、前記電極部と接続された第二の接続部と、を有した導電部と、
を備え、
前記第一の接続部は、前記第二の接続部に対して、前記第一の方向と交差した第二の方向に位置され、
前記第一の接続部の、前記第一の方向および前記第二の方向と交差した第三の方向に沿った第一の幅が、前記第二の接続部の前記第三の方向に沿った第二の幅よりも大きく、
前記導電部は、
前記第一の接続部と、前記第一の接続部から前記第二の接続部側に突出した第一の突出部と、を有した第一の導電部材と、
前記第二の接続部と、前記第二の接続部から前記第一の接続部側に突出し前記第一の突出部と前記第一の方向に重ねられた第二の突出部と、を有した第二の導電部材と、
を有した、組電池。
【請求項２】
前記第一の壁部は、前記第三の方向に延びた少なくとも一つの辺部を有し、
前記第一の接続部は、前記辺部に沿って延びた、請求項１に記載の組電池。
【請求項３】
前記電池セルは、前記電極部として正極部と負極部とを含み、
前記第一の壁部は、互いに対向し、それぞれ前記第三の方向に延びた二つの前記辺部を有し、
前記正極部と接続された前記第二の接続部を有した前記導電部の前記第一の接続部が、前記二つの辺部のうち一つに沿って設けられ、前記負極部と接続された前記第二の接続部を有した前記導電部の前記第一の接続部が、前記二つの辺部のうち別の一つに沿って設けられた、請求項２に記載の組電池。
【請求項４】
前記第一の接続部が、前記第二の壁部を構成した、請求項１〜３のうちいずれか一つに記載の組電池。
【請求項５】
前記電池セルは、
前記第一の壁部に沿い当該第一の壁部に支持された第三の壁部と、
前記第三の壁部と前記第一の方向に離間して位置され前記第三の壁部に沿って延びた第四の壁部と、
前記第三の壁部および前記第一の方向に対して交差した傾斜部を有し前記第三の壁部と前記第四の壁部との間に位置された第五の壁部と、
を有し、
前記電極部は、前記傾斜部に設けられた、請求項１〜４のうちいずれか一つに記載の組電池。
【請求項６】
それぞれが前記ケース、前記電池セル、および前記導電部を有し、前記第一の方向に並んだ複数のサブアセンブリと、
前記第一の方向に隣接した二つの前記サブアセンブリの一方の前記第一の接続部と他方の前記第一の接続部とを接続した前記外部導体と、
を備えた、請求項１〜５のうちいずれか一つに記載の組電池。
【請求項７】
第一の壁部と、前記第一の壁部から当該第一の壁部と交差する第一の方向に沿って延びた第二の壁部と、を有したケースと、
前記ケースに収容され、筐体と、前記筐体の内部に設けられた電極体と、前記電極体と接続され前記筐体の外面に露出した電極部と、を有した電池セルと、
外部導体と接続可能な第一の接続部と、前記電極部と接続された第二の接続部と、を有した導電部と、
それぞれが前記ケース、前記電池セル、および前記導電部を有し、前記第一の方向に並んだ複数のサブアセンブリと、
前記第一の方向に隣接した二つの前記サブアセンブリの一方の前記第一の接続部と他方の前記第一の接続部とを接続した前記外部導体と、
を備え、
前記第一の接続部は、前記第二の接続部に対して、前記第一の方向と交差した第二の方向に位置され、
前記第一の接続部の、前記第一の方向および前記第二の方向と交差した第三の方向に沿った第一の幅が、前記第二の接続部の前記第三の方向に沿った第二の幅よりも大きく、
前記サブアセンブリは、それぞれ、前記第一の方向の視線で前記電池セルから離れて位置され、前記導電部と前記第一の壁部とを前記第一の方向に沿って貫通した第一の結合部材、を有した、組電池。
【発明の詳細な説明】
【技術分野】
【０００１】
本発明の実施形態は、組電池に関する。
【背景技術】
【０００２】
従来、上壁部に電極部が設けられた金属缶タイプの電池セルと、電池セルを支持したホルダと、を備えた組電池が、知られている。
【先行技術文献】
【特許文献】
【０００３】
【特許文献１】特開２０１１−９１０４３号公報
【発明の概要】
【発明が解決しようとする課題】
【０００４】
この種の組電池では、例えば、より不都合の少ない新規な構成が得られれば、好ましい。
【課題を解決するための手段】
【０００５】
実施形態の組電池は、例えば、ケースと、電池セルと、導電部と、を備える。ケースは、第一の壁部と、第一の壁部から当該第一の壁部と交差する第一の方向に沿って延びた第二の壁部と、を有する。電池セルは、ケースに収容され、筐体と、筐体の内部に設けられた電極体と、電極体と接続され筐体の外面に露出した電極部と、を有する。導電部は、外部導体と接続可能な第一の接続部と、電極部と接続された第二の接続部と、を有する。第一の接続部は、第二の接続部に対して、第一の方向と交差した第二の方向に位置され、第一の接続部の、第一の方向および第二の方向と交差した第三の方向に沿った第一の幅が、第二の接続部の第三の方向に沿った第二の幅よりも大きく、導電部は、第一の接続部と、第一の接続部から第二の接続部側に突出した第一の突出部と、を有した第一の導電部材と、第二の接続部と、第二の接続部から第一の接続部側に突出し第一の突出部と第一の方向に重ねられた第二の突出部と、を有した第二の導電部材と、を有する。
【図面の簡単な説明】
【０００６】
【図１】図１は、第１実施形態の組電池の例示的な斜視図である。
【図２】図２は、第１実施形態の組電池の例示的な分解斜視図である。
【図３】図３は、第１実施形態の組電池のサブアセンブリの例示的な斜視図である。
【図４】図４は、第１実施形態の組電池のサブアセンブリの例示的な分解斜視図である。
【図５】図５は、第１実施形態の組電池のケースの例示的な斜視図である。
【図６】図６は、図４のVI−VI断面図である。
【図７】図７は、第２実施形態の組電池のサブアセンブリの例示的な斜視図である。
【図８】図８は、第２実施形態の組電池のサブアセンブリの例示的な分解斜視図である。
【図９】図９は、図７のIX−IX断面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が規定されている。Ｘ方向は、サブアセンブリ１０の厚さ方向であり、Ｙ方向は、サブアセンブリ１０の長手方向であり、Ｚ方向は、サブアセンブリ１０の短手方向である。Ｘ方向、Ｙ方向、およびＺ方向は、互いに直交している。Ｘ方向は、第一の方向の一例であり、Ｙ方向は、第二の方向の一例であり、Ｚ方向は、第三の方向の一例である。
【０００９】
＜第１実施形態＞
図１に示されるように、組電池１は、例えば、複数のサブアセンブリ１０と、カバー４と、結合部材５と、導電部材８と、を備える。サブアセンブリ１０は、Ｘ方向に薄い扁平な直方体状に構成されている。カバー４は、複数のサブアセンブリ１０のＸ方向（図１では右下方向）の端部を覆っている。結合部材５は、複数のサブアセンブリ１０およびカバー４がＸ方向に重ねて並べられた状態で、複数のサブアセンブリ１０を一体化する。導電部材８は、複数のサブアセンブリ１０に含まれる電池セル２（図２参照）と、電気的に接続され、組電池１の外部接続端子として機能する。
【００１０】
組電池１は、種々の装置や、機械、設備等に設置され、それら種々の装置や、機械、設備の電源として使用される。例えば、組電池１は、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される組電池１を、直列あるいは並列に接続したセットとして搭載することもできる。よって、組電池１は、電池モジュールや電池ユニット等とも称されうる。なお、組電池１に含まれるサブアセンブリ１０の数や配置等は、本実施形態で開示されるものには限定されない。また、組電池１には、電池セル２の電圧や温度を監視するための配線や、監視基板、電池制御のための制御基板等が含まれうる。
【００１１】
図３に示されるように、複数のサブアセンブリ１０に含まれるケース３は、Ｘ方向（図３では上方向）の端部が開放された直方体状の箱型に構成されている。ケース３は、複数の壁部３ａ〜３ｅを有する。図１，２に示されるように、複数のサブアセンブリ１０は、例えば、ケース３の壁部３ａ，３ｃが平面に沿った姿勢で、設置されうる。
【００１２】
また、図２に示されるように、複数（例えば、六個）のサブアセンブリ１０は、Ｘ方向に沿って一列に並んでいる。本実施形態では、各サブアセンブリ１０のケース３には、それぞれ一つの電池セル２が収容されている。
【００１３】
図３に示されるように、複数のサブアセンブリ１０は、それぞれ、電池セル２や、ケース３、導電部９等を有する。電池セル２は、ケース３に収容されるとともに覆われている。電池セル２とケース３とは、導電部９の第一の導電部材９Ａおよび第二の導電部材９Ｂを介して一体化されている。すなわち、電池セル２は、第一の導電部材９Ａおよび第二の導電部材９Ｂを介してケース３に支持されている。導電部９は、電池セル２および導電部材８（図１参照）と電気的に接続される。
【００１４】
図４に示されるように、電池セル２は、筐体２０と、一対の電極部２５と、を有する。電極部２５のうち一方は正極部２５Ａであり、他方は負極部２５Ｂである。図３にも示されるように、本実施形態では、電極部２５は、例えば、溶接等によって第二の導電部材９Ｂと結合される。
【００１５】
導電部９は、例えば、第一の導電部材９Ａと、第二の導電部材９Ｂと、を有する。第一の導電部材９Ａには、導電部材８（図１参照）と接続可能な接続部９ａが設けられ、第二の導電部材９Ｂには、電極部２５と接続される接続部９ｂが設けられている。本実施形態では、一対の第一の導電部材９Ａのうち一方の接続部９ａは正極端子２３として機能し、他方の接続部９ａは負極端子２４として機能する。接続部９ａは、第一の接続部の一例であり、接続部９ｂは、第二の接続部の一例である。接続部９ａは、端子部等とも称されうる。
【００１６】
また、図１に示されるように、正極端子２３および負極端子２４は、例えば、溶接等によって導電部材８と結合される。組電池１では、例えば、Ｘ方向に隣接する二つのサブアセンブリ１０の正極端子２３と負極端子２４とが導電部材８を介して電気的に接続されるとともに、Ｘ方向の両端部に設けられた一対の出力端子部８ｇを介して電力が取り出される。本実施形態では、導電部材８は、外部導体の一例である。また、導電部材８、第一の導電部材９Ａ、および第二の導電部材９Ｂは、バスバーと称されうる。また、導電部材８は、メインバスバーや、アウターバスバー等とも称され、第一の導電部材９Ａおよび第二の導電部材９Ｂは、サブバスバーや、中継バスバー、中間バスバー、インナーバスバー等とも称されうる。
【００１７】
図１，２に示されるように、カバー４は、Ｘ方向と直交する方向、すなわちＹ方向およびＺ方向に沿って広がった壁部４ａを有する。壁部４ａは、例えば、Ｙ方向に横長の長方形状の板状に構成されている。壁部４ａは、絶縁部の一例である。カバー４は、例えば、合成樹脂材料等によって構成されうる。
【００１８】
また、図２〜４に示されるように、ケース３の壁部３ｅは、例えば、壁部４ａに沿った長方形状の板状に構成されている。壁部３ｅは、Ｘ方向の視線では、四つの辺部３ｈ〜３ｋ（端部、縁部）を有している。壁部３ｅは、底壁部や、下壁部、隔壁部等とも称されうる。また、壁部３ｅは、絶縁部の一例である。図４に示されるように、本実施形態では、壁部３ａ〜３ｄは、壁部３ｅの周縁部からＸ方向（図４では上方向）に向けて突出している。これにより、壁部３ｅと壁部３ａ〜３ｄとの間に、電池セル２を収容する収容部３ｒが設けられている。図２に示されるように、組電池１では、電池セル２と壁部３ｅ，４ａとが交互にＸ方向に積み重ねられている。ケース３のそれぞれの収容部３ｒは、Ｘ方向（図２では右方向）に位置される壁部３ｅ，４ａによって塞がれる。壁部３ａ〜３ｄは、角部（境界部）を介して互いに接続されており、それぞれが、別の方向を向いた面（外面、平面）を有している。本実施形態では、壁部３ｅは、第一の壁部の一例であり、壁部３ａ〜３ｄは、第二の壁部の一例である。
【００１９】
また、図４に示されるように、壁部３ａおよび壁部３ｃは、いずれも、Ｚ方向と直交する方向、すなわちＸ方向およびＹ方向に沿っており、Ｚ方向に間隔をあけて互いに平行に設けられている。また、壁部３ｂおよび壁部３ｄは、いずれも、Ｙ方向と直交する方向、すなわちＸ方向およびＺ方向に沿っており、Ｙ方向に間隔をあけて互いに平行に設けられている。図３にも示されるように、壁部３ｂ，３ｄは、壁部３ａ〜３ｄのうち電池セル２の電極部２５と対向または近接しており、壁部３ａ，３ｃは、壁部３ａ〜３ｄのうち電極部２５から離間している。壁部３ａ〜３ｄは、側壁部等とも称されうる。また、壁部３ａ，３ｃ（辺部３ｈ，３ｊ）は、側壁部のうちの長辺部の一例であり、壁部３ｂ，３ｄ（辺部３ｉ，３ｋ）は、側壁部のうちの短辺部の一例である。
【００２０】
また、図４に示されるように、壁部３ｅのＹ方向およびＹ方向の反対方向のそれぞれの端部には、Ｘ方向（図４では上方向）に向けて突出した壁部３ｆが設けられている。壁部３ｆは、いずれも、壁部３ｂと壁部３ｄとの間に位置され、壁部３ａと壁部３ｃとの間に亘っている。そして、本実施形態では、Ｙ方向に互いに離間したこれら二つの壁部３ｆの間に、電池セル２を収容する収容部３ｒが設けられている。図３にも示されるように、二つの壁部３ｆの間隔、すなわち収容部３ｒのＹ方向の長さは、電池セル２のＹ方向の長さと略同じかあるいは僅かに大きく設定されている。また、壁部３ｆのＸ方向の長さは、壁部３ａ〜３ｄのＸ方向の長さよりも短く設定されている。壁部３ｆは、仕切壁や、分離壁、リブ等と称されうる。壁部３ｆは、第二の壁部の一例である。また、壁部３ｆは、位置決め部の一例である。すなわち、壁部３ｆと電池セル２との当接によって、電池セル２のＹ方向に沿った移動が制限されうる。
【００２１】
また、図５に示されるように、壁部３ｅの収容部３ｒと面する位置には、それぞれ、Ｘ方向（図５では上方向）に向けて突出した突出部３ｇが設けられている。突出部３ｇは、例えば、電池セル２の開口部２０ｒ（図４参照）に沿った円柱状に構成されている。開口部２０ｒの縁部と突出部３ｇとの当接によって、電池セル２の壁部３ｅに沿った移動が制限される。本実施形態では、突出部３ｇは、第一の位置決め部の一例であり、開口部２０ｒは、第二の位置決め部の一例である。
【００２２】
また、図５に示されるように、壁部３ｂ，３ｄには、それぞれ、開口部３ｍが設けられている。開口部３ｍは、例えば、壁部３ｂ，３ｄをＹ方向に貫通するとともにＺ方向に沿って延びた切欠部である。本実施形態では、開口部３ｍのＺ方向に沿った長さは、壁部３ｆのＺ方向に沿った長さよりも僅かに小さく設定されている。すなわち、開口部３ｍは、ケース３の辺部３ｉ，３ｋの略全域に亘って設けられている。
【００２３】
また、開口部３ｍの縁部には、Ｚ方向の中央側に向けて開放された凹部３ｎ（溝部、図９参照）が設けられている。本実施形態では、凹部３ｎのＸ方向（図５，９では上方向）の端部は開放され、Ｘ方向の反対方向の端部は壁部３ｅによって塞がれている。この凹部３ｎには、図４に示される第一の導電部材９Ａの接続部９ａが挿入される。凹部３ｎの縁部（内面）と接続部９ａとの当接によって、接続部９ａひいては第一の導電部材９Ａの壁部３ｅに沿った移動が制限される。なお、壁部３ｂ，３ｄと第一の導電部材９Ａとは、例えば、インサート成形等によって一体に構成されてもよい。
【００２４】
また、図５に示されるように、壁部３ｅの壁部３ｆと近接した位置には、それぞれ、Ｘ方向（図５では上方向）に向けて突出したボス部３ｐが設けられている。ボス部３ｐの筒内には、図４に示されるねじ等の結合具１２の雄ネジ部１２ｂが噛み合う雌ネジ部が設けられうる。ボス部３ｐのＸ方向の長さ、すなわち突出量は、壁部３ｆのＸ方向の長さと略同じである。また、ボス部３ｐは、壁部３ｆの収容部３ｒとは反対側に位置されている。
【００２５】
図１，２に示されるように、複数のケース３は、それぞれの壁部３ｅが同じ方向、すなわちＸ方向の反対方向（図１，２では左上方向）を向いた姿勢で、Ｘ方向に沿って並べられている。また、複数のケース３は、例えば、Ｘ方向に沿う方向において、壁部３ｂに露出した正極端子２３と壁部３ｄに露出した負極端子２４とが交互に配置されるように並べられている。ケース３は、例えば、合成樹脂材料等によって構成されうる。ケース３は、サブケースや、ユニットケース、分割ケース等とも称されうる。本実施形態では、図１に示されるように、複数のサブアセンブリ１０が組み立てられた状態で、各サブアセンブリ１０が有する複数のケース３が、組電池１のケースを構成している。
【００２６】
図４に示されるように、第一の導電部材９Ａは、例えば、接続部９ａと、突出部９ｃと、を有する。接続部９ａは、壁部３ｂ，３ｄの開口部３ｍに沿って延びた長方形状の板状に構成されている。接続部９ａは、開口部３ｍの縁部に設けられた凹部３ｎ（図５参照）に挿入される。本実施形態では、接続部９ａは、壁部３ｂ，３ｄの開口部３ｍから露出し、当該開口部３ｍが設けられた部分において壁部３ｂ，３ｄを構成している。
【００２７】
また、図４に示されるように、突出部９ｃは、接続部９ａのＺ方向の略中央部から、ボス部３ｐ（接続部９ｂ側）に向かって突出している。突出部９ｃは、例えば、壁部９ｃ１や、壁部９ｃ２、壁部９ｃ３等を有する。壁部９ｃ１，９ｃ３は、それぞれ、壁部３ｅに沿った板状に構成され、Ｘ方向に互いに離間して位置されている。壁部９ｃ３は、壁部９ｃ１よりもＸ方向の反対方向に位置され、ボス部３ｐのＸ方向（図４，５では上方向）を向いた面に支持される。また、壁部９ｃ３には、ボス部３ｐの筒内（雌ネジ部）と面する開口部９ｅが設けられている。また、壁部９ｃ２は、壁部３ｂ，３ｄおよび壁部３ｆに沿った板状に構成され、壁部９ｃ１と壁部９ｃ３とを接続している。本実施形態では、突出部９ｃのＸＹ平面に沿った断面は、略Ｚ字状に構成されている。すなわち、突出部９ｃには、これら壁部９ｃ１〜９ｃ３によって、ボス部３ｐ側に向けて凹んだ段差が設けられている。本実施形態では、突出部９ｃは、第一の突出部の一例である。また、壁部９ｃ１，９ｃ３は、横壁部等とも称され、壁部９ｃ２は、縦壁部や立壁部等とも称されうる。
【００２８】
また、第二の導電部材９Ｂは、例えば、接続部９ｂと、突出部９ｄと、を有する。接続部９ｂは、壁部３ｅに沿った板状に構成され、電極部２５のＸ方向を向いた第一の面２５ａ１（図６参照）と面する。図３に示されるように、本実施形態では、例えば、接続部９ｂと第一の面２５ａ１とが、レーザ溶接等によって互いに結合される。これにより、電極部２５と第二の導電部材９Ｂとが、機械的に接続されるとともに、電気的に接続される。
【００２９】
また、図４に示されるように、突出部９ｄは、接続部９ｂから、ボス部３ｐ（接続部９ａ側）に向かって突出している。突出部９ｄは、例えば、壁部９ｄ１や、壁部９ｄ２等を有する。壁部９ｄ１は、壁部３ｅに沿った板状に構成され、接続部９ｂよりもＸ方向の反対方向に位置されている。壁部９ｄ１は、第一の導電部材９Ａの壁部９ｃ３と面し、当該壁部９ｃ３のＸ方向（図４では上方向）を向いた面に支持される。また、壁部９ｄ１には、壁部９ｃ３の開口部９ｅおよびボス部３ｐの筒内（雌ネジ部）と面する開口部９ｆが設けられている。図３，４に示されるように、本実施形態では、例えば、開口部９ｅ，９ｆを貫通した結合具１２の雄ネジ部１２ｂがボス部３ｐの筒内の雌ネジ部と噛み合うことにより、第一の導電部材９Ａおよび第二の導電部材９Ｂがケース３と結合される。そして、第一の導電部材９Ａと第二の導電部材９Ｂとが、機械的に接続されるとともに、電気的に接続される。また、第二の導電部材９Ｂは、電池セル２の電極部２５と結合されているため、結合具１２をボス部３ｐに取り付けることにより、電池セル２をケース３に取り付けることができる。
【００３０】
また、図４に示されるように、壁部９ｄ２は、壁部３ｂ，３ｄおよび壁部３ｆに沿った板状に構成され、壁部９ｄ１と接続部９ｂとを接続している。本実施形態では、第二の導電部材９ＢのＸＹ平面に沿った断面は、略Ｚ字状に構成されている。すなわち、第二の導電部材９Ｂには、これら接続部９ｂおよび突出部９ｄによって、ボス部３ｐ側に向けて凹んだ段差が設けられている。図３に示されるように、本実施形態では、第一の導電部材９Ａおよび第二の導電部材９Ｂが結合具１２によってケース３と結合された状態では、結合具１２の頭部１２ａがこれら二つの導電部材９Ａ，９Ｂの段差によって形成された凹部９ｇに収容される。これにより、頭部１２ａが第一の導電部材９Ａおよび第二の導電部材９Ｂ、ひいては電池セル２の壁部２０ｅよりもＸ方向に突出するのが抑制されている。本実施形態では、突出部９ｄは、第二の突出部の一例である。また、壁部９ｃ１は、横壁部等とも称され、壁部９ｃ２は、縦壁部や立壁部等とも称されうる。
【００３１】
また、第一の導電部材９Ａおよび第二の導電部材９Ｂがケース３と結合された状態では、図１に示されるように、接続部９ａが壁部３ｂ，３ｄの開口部３ｍから露出し、導電部材８との接続が可能となる。ここで、本実施形態では、接続部９ａのＺ方向に沿った第一の幅Ｗ１（図２，３参照）が、接続部９ｂのＺ方向に沿った第二の幅Ｗ２（図２，３参照）よりも大きく設定されている。これにより、例えば、接続部９ａの第一の幅Ｗ１と接続部９ｂの第二の幅Ｗ２とが同じである構成と比べて、接続部９ａへの導電部材８（図１参照）の取付位置や、導電部材８の配置や形状の自由度が高まりやすくなる。よって、例えば、溶接等による導電部材８の接続部９ａへの取付作業がより容易に、より円滑に、あるいはより迅速に行われやすくなり、ひいては組電池１の製造に要する手間が減りやすい場合がある。
【００３２】
図１に示されるように、導電部材８は、例えば、複数の接続部８ａ，８ｂと、ブリッジ部８ｃと、を有する。導電部材８は、例えば、一枚の板状の部材が四箇所（ブリッジ部８ｃ）で屈曲されて構成されている。図１にも示されるように、接続部８ａ，８ｂは、接続部９ａに沿った四角形状の板状に構成され、Ｘ方向に互いに離間して位置されている。接続部８ａ，８ｂは、接続部９ａの電池セル２とは反対側、すなわちケース３の外側から接続部９ａと重ねられる。接続部８ａ，８ｂは、端子部等とも称されうる。
【００３３】
また、ブリッジ部８ｃは、接続部８ａと接続部８ｂとの間に渡って設けられている。ブリッジ部８ｃは、Ｚ方向の視線で、接続部８ａ，８ｂからケース３の外側に向けて凸の状態で屈曲している。すなわち、ブリッジ部８ｃのＸＹ平面に沿った断面は、ケース３の内側に向けて開放された略Ｕ字状に構成されている。本実施形態によれば、導電部材８にブリッジ部８ｃが設けられているため、例えば、組電池１にＸ方向に沿った衝撃や振動等の外力が入力された場合、あるいは導電部材８がＸ方向に沿って熱変形した場合等に、ブリッジ部８ｃによって応力を緩和することができる。ブリッジ部８ｃは、屈曲部や、突出部、接続部等とも称されうる。
【００３４】
図３に示される電池セル２は、例えば、リチウムイオン二次電池等で構成されている。なお、電池セル２は、ニッケル水素電池や、ニッケルカドミウム電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。電池セル２は、単電池等とも称されうる。
【００３５】
図４に示されるように、電池セル２の筐体２０は、Ｘ方向に薄い扁平な直方体状に構成されている。また、筐体２０は、複数の壁部２０ａ〜２０ｆを有する。壁部２０ｅおよび壁部２０ｆは、いずれも、Ｘ方向と直交する方向、すなわちＹ方向およびＺ方向に沿っており、Ｘ方向に間隔をあけて互いに平行に設けられている。壁部２０ｅ，２０ｆのうち一方は、底壁部や下壁部等と称され、他方は、天壁部や上壁部等と称されうる。図３にも示されるように、壁部２０ｆは、ケース３の壁部３ｅと面し、当該壁部３ｅに支持される。また、壁部２０ａ〜２０ｄは、壁部２０ｅの周縁部に位置され、当該壁部２０ｅと壁部２０ｆとの間に亘っている。本実施形態では、壁部２０ｆは、第三の壁部の一例であり、壁部２０ｅは、第四の壁部の一例であり、壁部２０ａ〜２０ｄは、第五の壁部の一例である。
【００３６】
また、壁部２０ａおよび壁部２０ｃは、いずれも、Ｚ方向と直交する方向、すなわちＸ方向およびＹ方向に沿っており、Ｚ方向に間隔をあけて互いに平行に設けられている。また、壁部２０ｂおよび壁部２０ｄは、いずれも、Ｙ方向と交差する方向、すなわちＸ方向およびＺ方向に略沿っており、Ｙ方向に互いに間隔をあけて設けられている。壁部２０ａ〜２０ｄは、側壁部等とも称されうる。また、壁部２０ａ，２０ｃは、側壁部のうちの長辺部の一例であり、壁部２０ｂ，２０ｄは、側壁部のうちの短辺部の一例である。
【００３７】
また、図４に示されるように、壁部２０ｂ，２０ｄは、例えば、Ｘ方向の視線では、Ｙ方向またはＹ方向の反対方向に凸の状態で突出した略台形状に構成されている。本実施形態では、壁部２０ｂ，２０ｄは、傾斜部２０ｂ１，２０ｄ１と、接続部２０ｂ２，２０ｄ２と、を有している。傾斜部２０ｂ１，２０ｄ１は、壁部２０ｅのＹ方向またはＹ方向の反対方向の端部のそれぞれから、ケース３の外側に向けて突出している。そして、図６にも示されるように、傾斜部２０ｂ１，２０ｄ１は、壁部２０ｅ，２０ｆおよびＸ方向に対して交差している。具体的には、傾斜部２０ｂ１，２０ｄ１は、壁部２０ｅ側の端部から壁部２０ｅとは反対側の端部に向かって徐々に壁部２０ｆと近づくように傾斜している。図６の視線で、壁部２０ｅ，２０ｆと傾斜部２０ｂ１，２０ｄ１との交わる角度、およびＸ方向と傾斜部２０ｂ１，２０ｄ１との交わる角度は、それぞれ１°以上９０°未満の鋭角である。
【００３８】
また、接続部２０ｂ２，２０ｄ２は、傾斜部２０ｂ１，２０ｄ１の壁部２０ｅとは反対側の端部と壁部２０ｆとを接続している。接続部２０ｂ２，２０ｄ２は、壁部２０ｅ，２０ｆと略垂直である。また、図４に示されるように、接続部２０ｂ２，２０ｄ２のＸ方向に沿った厚さは、Ｚ方向およびＺ方向の反対方向のそれぞれの端部側から中央部側に向かって徐々に小さくなっている。すなわち、傾斜部２０ｂ１，２０ｄ１の面積は、Ｚ方向およびＺ方向の反対方向のそれぞれの端部側から中央部側に向かって徐々に大きくなっている。本実施形態では、電極部２５は、傾斜部２０ｂ１，２０ｄ１のＺ方向の略中央部、すなわち傾斜部２０ｂ１，２０ｄ１のうち最も面積の大きな部分に設けられている。
【００３９】
また、壁部２０ｆは、例えば、ベース部２０ｆ１（図６参照）と、フランジ部２０ｆ２（図４参照）と、を有している。ベース部２０ｆ１は、図４に示される壁部２０ａ〜２０ｄに沿った長方形状の板状に構成され、壁部２０ａ〜２０ｄの壁部２０ｅとは反対側の開放部分を覆っている。また、フランジ部２０ｆ２は、ベース部２０ｆ１から壁部３ｅに沿って筐体２０の外側に張り出している。フランジ部２０ｆ２には、上述したケース３側の突出部３ｇと位置決めされる複数の開口部２０ｒが設けられている。フランジ部２０ｆ２は、突出部や、張出部等とも称されうる。
【００４０】
また、壁部２０ａ〜２０ｄの壁部２０ｅとは反対側、すなわち壁部２０ｆ側の端部には、壁部２０ｆに沿って筐体２０の外側に張り出したフランジ部２０ｐが設けられている。図６にも示されるように、本実施形態では、フランジ部２０ｐと壁部２０ｆとは、例えば、抵抗シーム溶接等によって互いに結合される。抵抗シーム溶接は、レーザ溶接と比べて、気密性や耐熱性等が高くなりやすく、かつ低コストであるという利点がある。フランジ部２０ｐは、突出部や、張出部等とも称されうる。
【００４１】
また、筐体２０は、複数の部品（分割体）が組み合わせられて構成されている。具体的には、筐体２０は、例えば、第一筐体部材２１（ケース、第一のケース）と、第二筐体部材２２（蓋、カバー、第二のケース）と、を有する。図４に示されるように、第一筐体部材２１は、少なくとも、壁部２０ａ〜２０ｅと、フランジ部２０ｐと、を有する。また、第二筐体部材２２は、少なくとも、壁部２０ｆを有する。第一筐体部材２１は、一端側が開放された直方体状の箱型に構成されている。第二筐体部材２２は、Ｙ方向に横長の略長方形状の板状に構成されている。第二筐体部材２２は、第一筐体部材２１の開放された部分を塞ぎ、抵抗シーム溶接等によって第一筐体部材２１と一体化される。第一筐体部材２１および第二筐体部材２２は、例えば、ステンレス鋼によって構成されている。
【００４２】
また、図６に示されるように、電極部２５は、例えば、頭部２５ａや、軸部２５ｂ等を有している。頭部２５ａは、図６の視線では、傾斜部２０ｂ１，２０ｄ１の厚さ方向の外側に凸の状態で突出した略台形状に構成されている。具体的に、頭部２５ａは、壁部２０ｅ，２０ｆに沿った第一の面２５ａ１と、接続部２０ｂ２，２０ｄ２に沿った第二の面２５ａ２と、傾斜部２０ｂ１，２０ｄ１に沿った第三の面２５ａ３，２５ａ４と、を有している。第三の面２５ａ３は、第一の面２５ａ１の傾斜部２０ｂ１，２０ｄ１とは反対側の端部と、第二の面２５ａ２の傾斜部２０ｂ１，２０ｄ１とは反対側の端部とを接続し、第三の面２５ａ４よりも傾斜部２０ｂ１，２０ｄ１に沿った幅が狭い。また、第一の面２５ａ１は、図３に示される第二の導電部材９Ｂの接続部９ｂと面している。第一の面２５ａ１と接続部９ｂとは、例えば、レーザ溶接等によって互いに結合される。
【００４３】
また、図６に示されるように、軸部２５ｂは、傾斜部２０ｂ１，２０ｄ１の厚さ方向に沿って延びた円柱状に構成されている。軸部２５ｂは、傾斜部２０ｂ１，２０ｄ１に設けられた開口部２０ｓを貫通している。電極部２５は、例えば、軸部２５ｂの頭部２５ａとは反対側の端部がカシメ固定されること等によって、筐体２０と結合される。電極部２５は、例えば、アルミニウム等の導電性材料によって構成されうる。
【００４４】
また、電極部２５と開口部２０ｓの縁部との間には、シール部材１８が設けられている。シール部材１８は、例えば、合成樹脂材料やガラス等の絶縁体によって構成されている。シール部材１８は、電極部２５と開口部２０ｓの縁部との間を気密および液密にシールするとともに電気的に絶縁している。シール部材１８は、ガスケットや、パッキン等とも称されうる。
【００４５】
また、筐体２０の内部には、例えば、電極体２６や、電解液等が収容されている。電極体２６は、例えば、正極シートと、負極シートと、絶縁層（セパレータ）と、を有する。電極体２６は、正極シート、負極シート、および絶縁層が巻回されて、扁平形状に構成されうる。電極体２６は、電極群であって発電要素として機能する。また、電極部２５の負極部２５Ｂは、複数の導電部材２７〜２９を介して、電極体２６の負極シートと電気的に接続され、正極部２５Ａは、複数の導電部材２７〜２９を介して、電極体２６の正極シートと電気的に接続される。導電部材２７は、負極バックアップリードや、正極バックアップリード等とも称されうる。また、導電部材２８は、第一の負極リードや、第一の正極リード等とも称され、導電部材２９は、第二の負極リードや、第二の正極リード等とも称されうる。
【００４６】
ここで、本実施形態では、各サブアセンブリ１０における収容部３ｒ（図４参照）のＸ方向の深さは、筐体２０のＸ方向の厚さよりも短く設定されている。よって、図１に示されるように、筐体２０がそれぞれの収容部３ｒに収容された状態で、結合部材５の弾性力によって各ケース３の壁部３ａ〜３ｄおよびカバー４がＸ方向に突き合わされることにより、筐体２０の壁部２０ｅ，２０ｆ（図６参照）が互いに近づく方向に弾性変形する。本実施形態では、この壁部２０ｅ，２０ｆの弾性変形に伴う力（弾性力）を利用して、電極体２６をＸ方向に支持している。すなわち、壁部２０ｅ，２０ｆの弾性変形に伴う力によって、電極体２６のＸ方向への膨らみが抑制されている。よって、本実施形態によれば、例えば、電極体２６が初期状態よりもＸ方向に膨らむのが抑制されやすくなり、ひいては電極体２６の膨らみによって生じる電池セル２の性能の低下等が抑制されうる。また、本実施形態では、筐体２０がステンレス鋼によって構成されているため、例えば、金属缶タイプの電池セルと比べて筐体２０が弾性変形しやすくなり、ひいては電池セル２のＸ方向への圧縮状態が比較的容易に得られうる。
【００４７】
また、図１に示されるように、結合部材５は、例えば、第一の部材５１と、第二の部材５２と、を有する。第一の部材５１および第二の部材５２のＸＺ平面に沿った断面は、それぞれ、サブアセンブリ１０側に向けて開放された略Ｕ字状に構成されている。第一の部材５１および第二の部材５２は、それぞれ、第一の支持部５１ａ，５２ａと、第二の支持部５１ｂ，５２ｂと、第三の支持部５１ｃ，５２ｃと、を有する。
【００４８】
第一の支持部５１ａ，５２ａは、Ｘ方向に並んだ六つの壁部３ａ，３ｃと面する長方形状の板状に構成されている。第一の支持部５１ａ，５２ａは、壁部３ａ，３ｃの電池セル２とは反対側から壁部３ａ，３ｃを支持する。また、第二の支持部５１ｂ，５２ｂは、第一の支持部５１ａ，５２ａのＸ方向（図１では右下方向）の端部からＺ方向の中央部側に突出している。第二の支持部５１ｂ，５２ｂは、カバー４の壁部４ａの一部と面する長方形状の板状に構成され、壁部４ａの電池セル２とは反対側から壁部４ａを支持する。また、第三の支持部５１ｃ，５２ｃは、第一の支持部５１ａ，５２ａのＸ方向の反対方向（図１では左上方向）の端部からＺ方向の中央部側に突出している。第三の支持部５１ｃ，５２ｃは、ケース３の壁部３ｅの一部と面する長方形状の板状に構成され、壁部３ｅの電池セル２とは反対側から壁部３ｅを支持する。第一の部材５１および第二の部材５２は、例えば、バネ鋼や、ステンレス鋼等によって構成されうる。第二の支持部５１ｂ，５２ｂおよび第三の支持部５１ｃ，５２ｃは、板バネ部の一例である。
【００４９】
本実施形態では、各サブアセンブリ１０およびカバー４が結合部材５によって一体化された状態では、第二の支持部５１ｂ，５２ｂおよび第三の支持部５１ｃ，５２ｃの弾性変形に伴う力によって、壁部４ａがＸ方向の反対方向（図１では左上方向）に押し付けられるとともに、壁部３ｅがＸ方向（図１では右下方向）に押し付けられる。弾性変形は、曲げ変形等とも称されうる。すなわち、結合部材５は、第二の支持部５１ｂ，５２ｂが自由長の状態よりもＸ方向へ曲げられるとともに第三の支持部５１ｃ，５２ｃが自由長の状態よりもＸ方向の反対方向へ曲げられた状態で、各サブアセンブリ１０およびカバー４を支持している。これにより、アッセンブリされた状態で、第二の支持部５１ｂ，５２ｂおよび第三の支持部５１ｃ，５２ｃは、弾性変形を伴って、すなわち弾性的に、壁部４ａをＸ方向の反対方向へ押し付けるとともに、壁部３ｅをＸ方向へ押し付ける。このように、本実施形態では、組電池１が結合部材５を備えるため、例えば、結合部材５の第一の部材５１と第二の部材５２とによって、複数のサブアセンブリ１０が比較的簡素な構成で一体化されうる。なお、組電池１は、結合部材５に加えて、カバー４の開口部４ｂおよびケース３の壁部３ｅをＸ方向に貫通し、カバー４および複数のサブアセンブリ１０を一体化する結合部材（例えば、ボルトとナット等）をさらに備えてもよい。この場合、第一の部材５１および第二の部材５２の弾性力によって、カバー４と複数のサブアセンブリ１０とがよりしっかりと一体化され、ひいては電池セル２のＸ方向への圧縮状態がより確実に得られうる。
【００５０】
以上のように、本実施形態では、例えば、組電池１は、壁部３ｅ（第一の壁部）と、壁部３ｅから当該壁部３ｅと交差するＸ方向（第一の方向）に沿って延びた壁部３ａ〜３ｄ（第二の壁部）と、を有したケース３と、ケース３に収容され、電極部２５を有した電池セル２と、導電部材８（外部導体）と接続可能な接続部９ａ（第一の接続部）と、電極部２５と接続された接続部９ｂ（第二の接続部）と、を有した導電部９と、を備え、接続部９ａは、接続部９ｂに対して、Ｘ方向と交差したＹ方向（第二の方向）に位置され、接続部９ａの、Ｘ方向およびＹ方向と交差したＺ方向（第三の方向）に沿った第一の幅Ｗ１が、接続部９ｂのＺ方向に沿った第二の幅Ｗ２よりも大きい。よって、本実施形態によれば、例えば、導電部９によって、電池セル２がケース３に収容された構成において、ケース３外の導電部材８と接続可能な接続部９ａを有した組電池１が実現されうる。また、接続部９ａの第一の幅Ｗ１が接続部９ｂの第二の幅Ｗ２よりも大きいため、例えば、接続部９ａの第一の幅Ｗ１と接続部９ｂの第二の幅Ｗ２とが同じである構成と比べて、接続部９ａへの導電部材８の取付位置や、導電部材８の配置や形状の自由度が高まりやすくなる。よって、例えば、溶接等による導電部材８の接続部９ａへの取付作業がより容易に、より円滑に、あるいはより迅速に行われやすくなり、ひいては組電池１の製造に要する手間が減りやすい場合がある。また、電池セル２がケース３に収容されているため、例えば、ケース３によってサブアセンブリ１０、ひいては組電池１の剛性や強度等が確保されやすくなる。よって、例えば、従来の金属缶タイプの電池セルと比べて、電池セル２の筐体２０をより軟らかい材料で構成できたり、筐体２０の壁部２０ａ〜２０ｆの厚さをより薄く構成できたりしうる。よって、例えば、電池セル２がより軽量に構成されやすくなり、ひいては電池セル２とケース３とを含むサブアセンブリ１０（組電池１）がより軽量に構成されうる。なお、本実施形態では、電池セル２およびケース３が、直方体状に構成された場合が例示されたが、これに限定されず、例えば、Ｘ方向に扁平な円柱状に構成されてもよい。
【００５１】
また、本実施形態では、例えば、壁部３ｅは、Ｚ方向（第三の方向）に延びた辺部３ｉ，３ｋを有し、接続部９ａは、辺部３ｉ，３ｋに沿って延びている。よって、本実施形態によれば、例えば、辺部３ｉ，３ｋに沿って延びた接続部９ａによって、接続部９ａの第一の幅Ｗ１が確保されやすい。よって、例えば、接続部９ａへの導電部材８の取付位置や、導電部材８の配置や形状の自由度がより高まりやすい。
【００５２】
また、本実施形態では、例えば、電池セル２は、電極部２５として正極部２５Ａと負極部２５Ｂとを含み、壁部３ｅは、互いに対向し、それぞれＺ方向（第三の方向）に延びた二つの辺部３ｉ，３ｋを有し、正極部２５Ａと接続された接続部９ｂを有した導電部９の接続部９ａが、二つの辺部３ｉ，３ｋのうち一つに沿って設けられ、負極部２５Ｂと接続された接続部９ｂを有した導電部９の接続部９ａが、二つの辺部３ｉ，３ｋのうち別の一つに沿って設けられている。よって、本実施形態によれば、例えば、二つの辺部３ｉ，３ｋのうち一方に二つの接続部９ａが設けられた場合と比べて、接続部９ａのそれぞれの第一の幅Ｗ１がより長く構成されやすい。よって、例えば、接続部９ａへの導電部材８の取付位置や、導電部材８の配置や形状の自由度がより一層高まりやすい。
【００５３】
また、本実施形態では、例えば、接続部９ａが、壁部３ｂ，３ｄを構成している。よって、本実施形態によれば、例えば、接続部９ａによって、ケース３の所要の剛性を確保しながら、導電部材８と接続部９ａとが接続されやすい構成を得ることができる。
【００５４】
また、本実施形態では、例えば、導電部９は、接続部９ａ（第一の接続部）と、接続部９ａから接続部９ｂ側に突出した突出部９ｃ（第一の突出部）と、を有した第一の導電部材９Ａと、接続部９ｂ（第二の接続部）と、接続部９ｂから接続部９ａ側に突出し突出部９ｃとＸ方向に重ねられた突出部９ｄと、を有した第二の導電部材９Ｂと、を有する。よって、本実施形態によれば、例えば、導電部９が一つの部材で構成された場合と比べて、電池セル２とケース３とが第一の導電部材９Ａおよび第二の導電部材９Ｂを介して、より容易に、より円滑に、あるいはより精度よく一体化されうる。
【００５５】
また、本実施形態では、例えば、第一の導電部材９Ａおよび第二の導電部材９Ｂとケース３とが互いに結合された状態では、結合具１２の頭部１２ａが第一の導電部材９Ａおよび第二の導電部材９Ｂの凹部９ｇに収容されている。よって、本実施形態によれば、例えば、結合具１２の頭部１２ａが第一の導電部材９Ａおよび第二の導電部材９ＢよりもＸ方向に突出するのが抑制され、ひいては電池セル２のＸ方向への圧縮状態がより確実に得られやすい。
【００５６】
また、本実施形態では、例えば、電池セル２は、壁部３ｅに沿い当該壁部３ｅに支持された壁部２０ｆ（第三の壁部）と、壁部２０ｆとＸ方向に離間して位置され壁部２０ｆに沿って延びた壁部２０ｅ（第四の壁部）と、壁部２０ｆおよびＸ方向に対して交差した傾斜部２０ｂ１，２０ｄ１を有し壁部２０ｆと壁部２０ｅとの間に位置された壁部２０ａ〜２０ｄ（第五の壁部）と、を有し、電極部２５は、傾斜部２０ｂ１，２０ｄ１に設けられている。よって、本実施形態によれば、例えば、電極部２５が壁部２０ｆと垂直な壁部に設けられた構成と比べて、電極部２５の設置面積が増えやすい。よって、例えば、傾斜部２０ｂ１，２０ｄ１の開口部２０ｓを貫通する軸部２５ｂをより太く構成することができるようになり、ひいては電極部２５により大きな電流（ハイレート電流）を流すことができる。また、例えば、電極部２５が上壁部に設けられた従来の金属缶タイプの電池セルと比べて、電極部２５と電極体２６の集電タブ（導電部材２７）との間の距離が短くなりやすくなり、ひいては電極部２５と電極体２６とを電気的に接続する部品点数が減ったり、電気抵抗が減ったりしうる。
【００５７】
また、本実施形態では、例えば、組電池１は、それぞれがケース３、電池セル２、および導電部９を有し、Ｘ方向に並んだ複数のサブアセンブリ１０と、Ｘ方向に隣接した二つのサブアセンブリ１０の一方の接続部９ａと他方の接続部９ａとを接続した導電部材８（外部導体）と、を備える。よって、本実施形態によれば、例えば、Ｘ方向に沿って並んだ複数のサブアセンブリ１０が、導電部材８を介して比較的簡単に接続され、複数の電池セル２の直列回路が、比較的容易に構成されうる。
【００５８】
また、本実施形態では、例えば、壁部３ｅ（第一の壁部）にはＸ方向に沿って延びた突出部３ｇ（第一の位置決め部）が設けられ、壁部２０ｆ（第三の壁部）には突出部３ｇとの当接によって電池セル２の壁部３ｅに沿った移動を制限する開口部２０ｒ（第二の位置決め部）が設けられている。よって、本実施形態によれば、例えば、突出部３ｇと開口部２０ｒとの位置決めによって、電池セル２とケース３とが一体化されたサブアセンブリ１０が、より容易に、より円滑に、あるいはより迅速に得られうる。なお、本実施形態では、壁部３ｅに突出部３ｇが設けられ、壁部２０ｆに開口部２０ｒが設けられたが、壁部３ｅに開口部２０ｒが設けられ、壁部２０ｆに突出部３ｇが設けられてもよい。また、第二の位置決め部は開口部２０ｒには限定されず、例えば、段差部や、切欠部等であってもよい。
【００５９】
また、本実施形態では、例えば、組電池１は、それぞれがケース３と電池セル２とを有し、Ｘ方向に並んだ複数のサブアセンブリ１０と、複数のサブアセンブリ１０を一体化する結合部材５と、を備える。よって、本実施形態によれば、例えば、結合部材５の第一の部材５１と第二の部材５２とによって、複数のサブアセンブリ１０が比較的簡素な構成で一体化されうる。
【００６０】
＜第２実施形態＞
図７〜９に示される実施形態の組電池１Ａは、上記第１実施形態の組電池１と同様の構成を備えている。よって、本実施形態によっても、上記第１実施形態と同様の構成に基づく同様の結果（効果）が得られる。
【００６１】
ただし、本実施形態では、例えば、図７，８に示されるように、各サブアセンブリ１０Ａの壁部３ｅと電池セル２の壁部２０ｅとが互いに向き合っている点が、上記実施形態と相違している。すなわち、本実施形態では、電池セル２は、壁部２０ｅが壁部３ｅと面した姿勢で、収容部３ｒに収容されている。また、図７に示されるように、壁部３ｆのＺ方向の略中央部には、開口部３ｆ１が設けられている。開口部３ｆ１は、例えば、壁部３ｆのＸ方向（図７では上方向）に向けて開放された切欠部である。図８にも示されるように、本実施形態では、この開口部３ｆ１によって、第一の導電部材９Ａの突出部９ｃと第二の導電部材９Ｂの突出部９ｄとの重なりが許容されている。また、図７に示されるように、開口部３ｆ１のＺ方向に沿った幅は、突出部９ｄのＺ方向に沿った幅と略同じかあるいは僅かに大きく設定されている。よって、本実施形態によれば、例えば、突出部９ｄと開口部３ｆ１のＺ方向およびＺ方向の反対方向のそれぞれの縁部との当接によって、第二の導電部材９Ｂひいては電池セル２のＺ方向に沿った移動が制限される。また、壁部３ｆと電池セル２との当接によって、電池セル２のＹ方向に沿った移動が制限されうる。このように、本実施形態によれば、壁部３ｆに開口部３ｆ１が設けられているため、例えば、上記実施形態の位置決め部、すなわち突出部３ｇおよび開口部２０ｒ（図４参照）を不要とすることができ、ひいては電池セル２とケース３との位置決め作業が、より容易に、より円滑に、あるいはより迅速に行われやすい場合がある。
【００６２】
また、図９に示されるように、本実施形態では、第一の導電部材９Ａの突出部９ｃ、および第二の導電部材９Ｂの接続部９ｂおよび突出部９ｄは、それぞれ、壁部３ｅに沿った板状に構成されている。突出部９ｃは、壁部３ｅのＸ方向（図９では上方向）を向いた面に支持され、突出部９ｄは、突出部９ｃのＸ方向を向いた面に支持される。また、突出部９ｃおよび突出部９ｄには、壁部３ｅに設けられた開口部３ｅ１と面する開口部９ｅ，９ｆが設けられている。これら三つの開口部３ｅ１，９ｅ，９ｆは、Ｘ方向の視線で、電池セル２から離れて位置されている。そして、本実施形態では、例えば、これら三つの開口部３ｅ１，９ｅ，９ｆを貫通する結合部材１３のボルト１３ａにナット１３ｂが噛み合うことによって、第一の導電部材９Ａおよび第二の導電部材９Ｂがケース３と結合される。これにより、第一の導電部材９Ａと第二の導電部材９Ｂとが、機械的に接続されるとともに、電気的に接続される。また、図９に示されるように、本実施形態では、上述した開口部３ｅ１，９ｅ，９ｆおよび結合部材１３の配置によって、複数のサブアセンブリ１０ＡがＸ方向に積層された状態では、各サブアセンブリ１０Ａのボルト１３ａの頭部がＸ方向に隣接した他のサブアセンブリ１０Ａのケース３（収容部３ｒ）に収容される。なお、複数のサブアセンブリ１０ＡのうちＸ方向の反対方向の端部に位置されたサブアセンブリ１０Ａのボルト１３ａの頭部は、ケース３の外側に突出する。
【００６３】
以上のように、本実施形態では、例えば、サブアセンブリ１０Ａは、それぞれ、Ｘ方向（第一の方向）の視線で電池セル２から離れて位置され、導電部９の第一の導電部材９Ａおよび第二の導電部材９Ｂと壁部３ｅ（第一の壁部）とをＸ方向（第一の方向）に沿って貫通した結合部材１３（第一の結合部材）、を有する。よって、本実施形態によれば、例えば、結合部材１３と電池セル２とがＸ方向に互いに干渉するのを抑制でき、ひいては電池セル２のＸ方向への圧縮状態がより確実に得られたり、組電池１ＡがＸ方向により小型に構成されたりしうる。また、結合部材１３の一部であるボルト１３ａの頭部をケース３の外側に突出させることができるため、例えば、第一の導電部材９Ａおよび第二の導電部材９Ｂがより簡素な形状で構成されやすい。
【００６４】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６５】
１，１Ａ…組電池、２…電池セル、３…ケース、３ａ〜３ｄ，３ｆ…壁部（第二の壁部）、３ｅ…壁部（第一の壁部）、３ｈ〜３ｋ…辺部、８…導電部材（外部導体）、９…導電部、９Ａ…第一の導電部材、９Ｂ…第二の導電部材、９ａ…接続部（第一の接続部）、９ｂ…接続部（第二の接続部）、９ｃ…突出部（第一の突出部）、９ｄ…突出部（第二の突出部）、１０，１０Ａ…サブアセンブリ、１３…結合部材（第一の結合部材）、２０ａ〜２０ｄ…壁部（第五の壁部）、２０ｂ１，２０ｄ１…傾斜部、２０ｅ…壁部（第四の壁部）、２０ｆ…壁部（第三の壁部）、２５…電極部、２５Ａ…正極部、２５Ｂ…負極部、Ｗ１…第一の幅、Ｗ２…第二の幅、Ｘ…第一の方向、Ｙ…第二の方向、Ｚ…第三の方向。
【図１】
0006744101.tif 000002
【図２】
0006744101.tif 000003
【図３】
0006744101.tif 000004
【図４】
0006744101.tif 000005
【図５】
0006744101.tif 000006
【図６】
0006744101.tif 000007
【図７】
0006744101.tif 000008
【図８】
0006744101.tif 000009
【図９】
0006744101.tif 000010